(57)【要約】【課題】本発明は、意匠性の良い外観を形成することが出来る外装構造を提供することを課題とする。【解決手段】略矩形状の金属製外装材Ａであって、化粧面に略矩形状のブロックＢを配置し、各ブロックＢはそれぞれ上下左右いずれかの方向に傾斜させ、外装材Ａ長手方向に通る目地を複数設け、該目地には、施工によって出来る施工目地Ｃと略同じ大きさのダミー目地Ｄと、ダミー目地よりも細い目地Ｅと、ダミー目地よりも太い目地Ｆを混在させた金属製外装材Ａを、金属製外装材Ａの雄雌連結と固定具βによる固定により躯体αに施工したことを特徴とする外装構造である。【選択図】図１
2017145609.tif 000002
【特許請求の範囲】
【請求項１】
略矩形状の金属製外装材であって、化粧面に略矩形状のブロックを配置し、各ブロックはそれぞれ上下左右いずれかの方向に傾斜させ、外装材長手方向に通る目地を複数設け、該目地には、施工によって出来る施工目地と略同じ大きさのダミー目地と、ダミー目地よりも細い目地と、ダミー目地よりも太い目地を混在させた金属製外装材を、金属製外装材の雄雌連結と固定具による固定により躯体に施工したことを特徴とする外装構造。
【発明の詳細な説明】
【技術分野】
【０００１】
本発明は建築、構築物の外装を形成する外装構造に関するものである。
【背景技術】
【０００２】
一般に、金属製板材をロール成形、プレス成形等して加工し、化粧面に凹凸を形成した金属製外装材は数多く上市されている。（例えば、特許文献１〜２参照）。
【先行技術文献】
【特許文献】
【０００３】
【特許文献１】特開２００２−２３５４２３号公報
【特許文献２】特開２００９−１６７７７５号公報
【発明の概要】
【発明が解決しようとする課題】
【０００４】
特許文献１は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献２は「エンボス加工金属製外壁材」に係り、頂面に対して斜平面の位置が互いに異なる区画面を、それぞれ交互に長手方向に隣接する、装飾面を形成するものである。
【０００５】
このように、一般的には窯業系の板材に比べ柄の深さや自由度が限定されてしまう金属製板材において、エンボス加工やプレス加工等で光の陰影や視覚効果等を利用するような柄を付け、意匠性の向上を目指している先行技術がある。しかしながら、特許文献１は、画一化された光りの反射を利用しただけのものであり、単調な外観の繰り返しとなってしまうことが考えられる。また、特許文献２についても、区画面に形成された斜平面の位置が長手方向に沿って上、下、上、下、・・・のように交互に繰り返されるだけでは、やや単調な外観となってしまうことが考えられる。
【課題を解決するための手段】
【０００６】
本発明はこのような課題を解決するために、略矩形状の金属製外装材であって、化粧面に略矩形状のブロックを配置し、各ブロックはそれぞれ上下左右いずれかの方向に傾斜させ、外装材長手方向に通る目地を複数設け、該目地には、施工によって出来る施工目地と略同じ大きさのダミー目地と、ダミー目地よりも細い目地と、ダミー目地よりも太い目地を混在させた金属製外装材を、金属製外装材の雄雌連結と固定具による固定により躯体に施工した外装構造を提供するものである。
【発明の効果】
【０００７】
本発明に係る外装構造によれば、（１）不規則で自然な外観が演出され、さらに光の当たる角度や見る角度によって陰影感が異なるという効果も得られ、外観の単調さが解消され、立体感も強調される。（２）外装材を施工して張り合わせたときに、外装材が一枚一枚に分かれて見えてしまうといったような違和感を生じることなく、一体感のある壁面が得られる。等の特徴、効果がある。
【図面の簡単な説明】
【０００８】
【図１】本発明に係る外装構造の施工状態例を示す断面図である。
【図２】本発明に係る外装構造に使用する金属製外装材の例を示す断面図である。
【図３】本発明に係る外装構造に使用する金属製外装材の化粧面の例を示す正面図である。
【図４】本発明に係る外装構造に使用する金属製外装材の化粧面の例を示す参考斜視図である。
【図５】本発明に係る外装構造に使用する金属製外装材の化粧面に配置するブロックの例を示す参考図である。
【図６】本発明に係る外装構造に使用する金属製外装材の化粧面に配置した各ブロックの組合せ例を示す参考図である。
【図７】本発明に係る外装構造に使用する金属製外装材を上下に施工したものを正面から見た例を示す参考図。
【発明を実施するための形態】
【実施例】
【０００９】
以下に図面を用いて、本発明に係る外装構造の一実施例について説明する。図１は本発明に係る外装構造の施工状態を示す断面図であり、αは下地材、βは固定具である。
【００１０】
本発明に係る外装構造に使用する金属製外装材Ａ（以下外装材Ａという）は図２に示すように、表面材１と裏面材２と合成樹脂発泡体からなる芯材３をサンドイッチしたもので、一端に雄型連結部４を、他端に雌型連結部５を形成したものである。
【００１１】
表面材１は例えば、鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等の金属薄板からなり、それをロール成形、エンボスロール成形、プレス成形、等の各種方法で成形したものである。（勿論、これらを各種色調に塗装したカラー板を含む）
【００１２】
裏面材２は例えば、アルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１３】
芯材３は例えば、ポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１４】
化粧面６には例えば、図３、図４に示すように略矩形状のブロックＢを外装材Ａの長手方向に配置している。例えば、ここで各ブロックＢの長さをランダムとすることで、化粧面６に不規則感を加えることも出来る。このようにすることで、外装材Ａを施工した際に、上下の外装材Ａ同士で、同じ長さのブロックＢが連続して上下に隣接してしまい、違和感が出てしまうといった事態を避けることにもつながり、より自然な外観を形成することも出来る。
【００１５】
また図３、図４に示すように、各ブロックＢは上下左右いずれかの方向に傾斜している。ここで言う傾斜とは、外装材Ａの裏面側に向けてブロックＢの頂面が傾いているということである。つまり傾斜方向が上というと、ブロックＢの頂面の上側が外装材Ａの裏面側に向けて傾いているということになる。これについてより詳しく説明する。
【００１６】
各ブロックＢは、図５（ａ）に示すように、それぞれ上下左右いずれかの方向に傾斜している。これにより、ブロックＢ毎、立体感が出て強調されて目立つエッジＸと、立体感がぼやけて目立たなくなるエッジＹが異なる。また図５（ｂ）（ｃ）に示すように、ブロックＢ毎で、傾斜の角度や、ブロックＢの長手方向の長さを変えれば、傾斜方向が同じであってもブロックＢ毎でエッジの強調され具合とぼやけ具合も変わる。ここで言うエッジとは、ブロックＢの四辺や四隅のことである。
【００１７】
さらに、この効果は、隣接するブロックＢの組合せによっても変化する。例えば、図６に示すように隣接するブロックＢの組合せによっては、図６（ａ）のように立体感が出て強調されて目立つエッジＸの存在が際立ったり、図６（ｂ）のように逆に打ち消し合ったりする。このような効果が起こるブロックＢの組合せは、図６で挙げた組合せ以外にも存在すると考えられる。
【００１８】
前記段落番号「００１６」のような効果はブロックＢに隣接する目地に対しても起こり、場所によってブロックＢと目地との高さの差が大きくなり目地が強調されたり、ブロックＢと目地との高さの差が小さくなり目地がぼやけたりする。
【００１９】
これら段落番号「００１６」「００１７」「００１８」に記載した事柄によって、意匠に深みと不規則感が出て、外観の単調さが解消される。
【００２０】
また、図３、図４のように各ブロックＢの表面には柄を付けても良い、例えば、石調の柄（石のような表面の粒や粗さの質感、凹凸感、凹み膨らみ、石を割ったような質感等）を数パターン、もしくは全て異なるものをブロックＢに付ける。これにより、各ブロックＢのエッジの際立ち具合や、外装材Ａへ光の当たる角度や、外装材Ａを見る角度、位置によって陰影感が異なるという効果が得られ、さらに複雑で自然な深みのある意匠となる。
【００２１】
また図１、図７に示すように、化粧面６には、外装材Ａ長手方向に通る目地を複数設け、該目地には、施工によって出来る施工目地Ｃと略同じ大きさのダミー目地Ｄを設けてある。また、ダミー目地よりも細い目地Ｅと、ダミー目地よりも太い目地Ｆも混在させている。これにより施工目地Ｃが目立たなくなり、外装材Ａを施工したときに、上下に隣接する外装材Ａ同士の壁面としての一体感が高まると共に、目地の太さに不規則感がでてより自然な外観を演出出来る。
【００２２】
さらに、ダミー目地よりも細い目地Ｅと、ダミー目地よりも太い目地Ｆの中に、ダミー目地Ｄと近い値、例えばダミー目地Ｄから約±0.5mm〜2mmの範囲としたものを入れる、もしくは全てをそのようにすることで、万が一、施工や製造時のばらつきにより施工目地Ｃの大きさが前後した場合であっても、壁面の一体感に違和感が生じるのを緩和することが出来る。
【符号の説明】
【００２３】
α  下地材
β  固定具
Ａ  外装材
Ｂ  ブロック
Ｃ  施工目地
Ｄ  ダミー目地
Ｅ  ダミー目地よりも細い目地
Ｆ  ダミー目地よりも太い目地
Ｘ  立体感が出て強調されて目立つエッジ
Ｙ  立体感がぼやけて目立たなくなるエッジ
１  表面材
２  裏面材
３  芯材
４  雄型連結部
５  雌型連結部
６  化粧面
【図１】
2017145609.tif 000003
【図２】
2017145609.tif 000004
【図３】
2017145609.tif 000005
【図４】
2017145609.tif 000006
【図５】
2017145609.tif 000007
【図６】
2017145609.tif 000008
【図７】
2017145609.tif 000009
【手続補正書】
【提出日】平成28年5月18日(2016.5.18)
【手続補正１】
【補正対象書類名】図面
【補正対象項目名】図１
【補正方法】変更
【補正の内容】
【図１】
2017145609.tif 000010
【手続補正２】
【補正対象書類名】図面
【補正対象項目名】図２
【補正方法】変更
【補正の内容】
【図２】
2017145609.tif 000011